(57)【要約】      （修正有）【課題】出隅が交わるコーナー部分に線状跡が全く形成されず、しかも、各出隅部分においても、角部を消失させることができるコーナー面木を提供する。【解決手段】水平に交わる出隅に配設する一対の水平杆体１を設ける。該水平杆体１の交差部に垂直に交わる垂直杆体２を水平杆体１と連続して設ける。これら水平杆体１と垂直杆体２との交差部の内側に継ぎ目のない面形成凹部３を形成する。この面形成凹部３は、プラスチック材又は金属材にて形成される前記水平杆体１と垂直杆体２とが一体成形される際に同時に形成される。水平杆体１及び垂直杆体２は、断面三角形状の杆体にて形成する。水平杆体１及び垂直杆体２のコンクリート構造物に接する面全体に直線用凹部を形成する。この直線用凹部は、長手方向に沿った断面Ｕ字形状を成す。【選択図】図１
0003169244.tif 000002
【実用新案登録請求の範囲】
【請求項１】
コンクリート構造物の出隅が交わるコーナー部分に配設される面取り用のコーナー面木において、
水平に交わる出隅に配設する一対の水平杆体と、該水平杆体の交差部に垂直に交わる出隅に配設する垂直杆体とが連続して構成され、
これら水平杆体と垂直杆体との交差部の内側に継ぎ目のない面形成凹部を形成したことを特徴とするコーナー面木。
【請求項２】
前記水平杆体と垂直杆体とはプラスチック材又は金属材にて一体成形され、前記面形成凹部は該水平杆体及び垂直杆体と共に一体成形された請求項１記載のコーナー面木。
【請求項３】
前記水平杆体及び前記垂直杆体は、断面三角形状の杆体にて形成され、前記コンクリート構造物に接する面全体に、長手方向に沿った断面Ｕ字形状の直線用凹部を形成した請求項１又は２記載のコーナー面木。
【考案の詳細な説明】
【技術分野】
【０００１】
本考案は、コンクリート構造物を製造する際に使用するコーナー面木に係り、特に、コンクリート構造物の出隅の形状を整えるために用いるコーナー面木に関する。
【背景技術】
【０００２】
コンクリート構造物は、所定形状に組み合わせた型枠の内部にコンクリートを打設して形成する。このとき、形成されたコンクリート構造物の出隅は、強度が低下し破損し易い状態になるため、従来では、型枠の出隅部分に面木と称する断面三角形状の部材を装着し、コンクリート構造物の出隅部分に面取りを形成する工法が行われている。
【０００３】
更に、出隅が交わるコーナー部分では、断面三角形状の面木を三方向から付き合わせる加工が必要になる。この場合、面木を付き合わせるために、面木の各端部に一定の傾斜角を加工し、この傾斜角が一致するように成形する必要がある。このような端部の加工は、熟練した技術を要するため、初心者には極めて困難な作業になっていた。
【０００４】
そこで、このような加工を容易にするため、特許文献１に記載のコーナー面木が提案されている。この面木によると、互いに水平方向で交わる二つの出隅部分と、この出隅部分と垂直に交わる垂直方向の出隅部分とで形成されるコーナーに配置する三本の面木を合成樹脂製の成形用材で一体的に形成したものである。
【先行技術文献】
【特許文献】
【０００５】
【特許文献１】実開平３−８９８３９号公報
【考案の概要】
【考案が解決しようとする課題】
【０００６】
ところが、従来の面取り工法や、特許文献１に記載のコーナー面木によってコーナー部分の面取りを行うと、断面三角形状の面木を三方向から付き合わせた形状を成しているので、このコーナー面木で形成された出隅のコーナー部分Ｐ２には、図７に示すように、各面木の端部で形成された傾斜角が線状跡Ｙとして残るものであった。この結果、このコーナー部分Ｐ２のみが面取りされていない状態になっていた。
【０００７】
しかも、従来の面取り工法や、特許文献１に記載のコーナー面木では、断面三角形状の面木を使用しているので、コーナー部分から離れた各辺の出隅部分においても、図７に示すような角部Ｘが残るものであった。コンクリート構造物の面取りは、出隅の角部Ｘを無くすことで危険な箇所を無くし、衝撃にも耐え得るように加工するものである。したがって、従来の面取りのごとく、角部Ｘが僅かに残った場合でも、この角部Ｘに生じる危険を解消することはできない。
【０００８】
そこで、本考案は上述の課題を解消すべく案出されたもので、出隅が交わるコーナー部分に全く線状跡が形成されず、しかも、各出隅部分においても、角部を消失させることができるコーナー面木の提供を目的とするものである。
【課題を解決するための手段】
【０００９】
上述の目的を達成すべく本考案における第１の手段は、コンクリート構造物Ｐの出隅Ｐ１が交わるコーナー部分Ｐ２に配設される面取り用のコーナー面木において、水平に交わる出隅Ｐ１に配設する一対の水平杆体１と、該水平杆体１の交差部に垂直に交わる出隅Ｐ１に配設する垂直杆体２とが連続して構成され、これら水平杆体１と垂直杆体２との交差部の内側に継ぎ目のない面形成凹部３を形成したことにある。
【００１０】
第２の手段において、前記水平杆体１と垂直杆体２とはプラスチック材又は金属材にて一体成形され、前記面形成凹部３は前記水平杆体１及び前記垂直杆体２と共に一体成形されたものである。
【００１１】
第３の手段は、前記水平杆体１及び前記垂直杆体２は、断面三角形状の杆体にて形成され、前記コンクリート構造物Ｐに接する面全体に、長手方向に沿った断面Ｕ字形状の直線用凹部４を形成したものである。
【考案の効果】
【００１２】
本考案の請求項１によると、水平に交わる出隅Ｐ１に配設する一対の水平杆体１と、該水平杆体１の交差部に垂直に交わる出隅Ｐ１に配設する垂直杆体２とが連続して構成され、これら水平杆体１と垂直杆体２との交差部の内側に継ぎ目のない面形成凹部３を形成したことにより、出隅Ｐ１が交わるコーナー部分Ｐ２に全く線状跡Ｙが形成されず、極めて滑らかで意匠的にも優れたコーナー部分Ｐ２を形成することができる。したがって、コンクリート構造物Ｐでも人目に付く部分のコーナー部分Ｐ２に好適なものになる。
【００１３】
請求項２のごとく、水平杆体１と垂直杆体２とはプラスチック材又は金属材にて一体成形され、前記面形成凹部３は前記水平杆体１及び前記垂直杆体２と共に一体成形されたものであるから、扱いが容易で、安価な提供が可能になる。
【００１４】
請求項３によると、水平杆体１及び垂直杆体２は、断面三角形状の杆体にて形成され、コンクリート構造物Ｐに接する面全体に、長手方向に沿った断面Ｕ字形状の直線用凹部４を形成したものであるから、コンクリート構造物Ｐの各出隅Ｐ１部分においても、出隅Ｐ１に角部Ｘが生じることなく、安全な出隅Ｐ１を形成することができる。
【図面の簡単な説明】
【００１５】
【図１】本考案の一実施例を示す正面図である。
【図２】本考案にて形成されたコーナー部分を示す縦断面図である。
【図３】本考案の他の実施例を示す斜視図である。
【図４】本考案の他の実施例を示す断面図である。
【図５】本考案の使用状態を示す斜視図である。
【図６】コンクリート構造物の出隅とコーナー部分とを示す斜視図である。
【図７】従来の面木により加工した出隅とコーナー部分とを示す斜視図である。
【考案を実施するための形態】
【００１６】
本考案によると、出隅が交わるコーナー部分に線状跡が全く形成されず、しかも、各出隅部分においても、角部を消失させることができるコーナー面木を提供することに成功した。
【００１７】
以下、本考案の実施例を説明する。本考案は、コンクリート構造物Ｐを構築する際に、型枠１０の内側に装着される。特に、図６に示すようなコンクリート構造物Ｐの出隅Ｐ１や、この出隅Ｐ１が交わるコーナー部分Ｐ２に配設することで、型枠１０除去後に、出隅Ｐ１やコーナー部分Ｐ２に面取りを形成するものである。
【００１８】
本考案の基本構成は、一対の水平杆体１と１本の垂直杆体２と面形成凹部３とで構成されている。水平杆体１は、水平に交わる出隅Ｐ１に配設する一対の部材で、断面三角形状の杆体にて形成されている。この水平杆体１の材質はプラスチック等の合成樹脂材やアルミニウム等の金属材にて、垂直杆体２と共に一体成形されるものである（図１参照）。そして、コンクリート構造物Ｐに接する面全体に、長手方向に沿った断面Ｕ字形状の直線用凹部４を形成することができる（図４参照）。
【００１９】
垂直杆体２は、水平杆体１の交差部に垂直に交わる部材で、水平杆体１と同様に、断面三角形状の杆体にて形成されている（図１参照）。この垂直杆体２の材質もプラスチック等の合成樹脂材やアルミニウム等の金属材にて、水平杆体１と共に一体成形されるものである。そして、コンクリート構造物Ｐに接する面全体に、長手方向に沿った断面Ｕ字形状の直線用凹部４を形成することができる。この直線用凹部４が形成する出隅Ｐ１は、丸みを帯びた状態で突出し、角部Ｘがない状態になる。
【００２０】
面形成凹部３は、前記水平杆体１と垂直杆体２とが一体成形される際に同時に形成されている。したがって、この面形成凹部３に形成されたコーナー部分Ｐ２は、従来のような線状跡Ｙが全くない状態に形成される。
【００２１】
本考案を使用する際は、型枠１０内側に釘などで固定する（図５参照）。更に水平杆体１や垂直杆体２の開放端部に同形材の直線状の面木２０を連続するように固定する。そして、型枠１０内側にコンクリートを打設し、コンクリートが硬化後、型枠１０を外すと、水平杆体１や垂直杆体２にて形成された角部Ｘのない出隅Ｐ１や、面形成凹部３にて形成された線状跡Ｙのないコーナー部分Ｐ２が形成される。
【実施例１】
【００２２】
図１に示す実施例は、水平杆体１と垂直杆体２との交差部分に面形成凹部３を形成したもので、水平杆体１と垂直杆体２は断面三角形状をなした杆体を使用している。この実施例によると、コーナー部分Ｐ２は、面形成凹部３によって全く線状跡Ｙが形成されないものになる（図２参照）。一方、出隅Ｐ１は、従来どおりの平面形状を成すものである。
【実施例２】
【００２３】
また、図３に示す実施例は、水平杆体１と垂直杆体２との交差部分に面形成凹部３を形成すると共に、水平杆体１と垂直杆体２とのコンクリート構造物Ｐに接する面全体に、長手方向に沿った断面Ｕ字形状の直線用凹部４を形成したものである（図４参照）。この実施例によると、コーナー部分Ｐ２は面形成凹部３によって全く線状跡Ｙが形成されず、しかも、各出隅部分においても、直線用凹部４によって形成された出隅Ｐ１が丸みを帯びて角部Ｘのない状態になる。
【産業上の利用可能性】
【００２４】
本考案の各構成は図示例に限定されるものではなく、水平杆体１や垂直杆体２の材質や寸法、形状等の変更は、本考案の要旨を変更しない範囲で任意に変更することができる。
【符号の説明】
【００２５】
Ｐ  コンクリート構造物
Ｐ１  出隅
Ｐ２  コーナー部分
１  水平杆体
２  垂直杆体
３  面形成凹部
４  直線用凹部
１０  型枠
２０  面木
Ｘ  角部
Ｙ  線状跡
【図１】
0003169244.tif 000003
【図２】
0003169244.tif 000004
【図３】
0003169244.tif 000005
【図４】
0003169244.tif 000006
【図５】
0003169244.tif 000007
【図６】
0003169244.tif 000008
【図７】
0003169244.tif 000009